(57)【特許請求の範囲】
【請求項１】
外気を室内へ給気する外気経路と、室内からの還気を排気する還気経路と、外気経路の外気の潜熱を制御する潜熱制御部と、外気経路の外気の顕熱を制御する顕熱制御部と、外気と還気との間で顕熱および潜熱を交換する全熱交換器部を備え、
全熱交換器部は、潜熱制御部へ通気する外気経路の外気と潜熱制御部を通過した還気経路の還気との間で顕熱および潜熱を交換する全熱交換器と、全熱交換器の上流側および下流側で外気経路に連通して全熱交換器を迂回する全熱交換器バイパス経路と、全熱交換器を通る外気経路と全熱交換器バイパス経路を切替える第１の経路切替装置を有し、
潜熱制御部は、外気経路の外気から湿気を収着して還気経路側で還気により湿気を脱着させて再生するデシカントロータと、冷房時にデシカントロータへ通気する外気を冷却し、暖房時デシカントロータへ通気する外気を加熱する冷温水コイルと、デシカントロータの上流側および下流側で外気経路に連通してデシカントロータを迂回するデシカントロータバイパス経路と、デシカントロータを通る外気経路とデシカントロータバイパス経路とを切替える第２の経路切替装置を有し、
第１の経路切替装置の制御指標として外気のエンタルピーを測定するエンタルピー測定手段を備え、第１の経路切替装置は、外気のエンタルピーに基づいて全熱交換器を通る外気経路と全熱交換器バイパス経路を切替え、
第２の経路切替装置の制御指標として還気の湿度を検知する還気湿度センサーを備え、第２の経路切替装置は、還気の湿度に基づいてデシカントロータを通る外気経路とデシカントロータバイパス経路とを切替えることを特徴とする低温再生デシカント空調機。
【請求項２】
潜熱制御部は、デシカントロータへ通気する還気を加熱する還気予熱部を備えることを特徴とする請求項１に記載の低温再生デシカント空調機。
【請求項３】
潜熱制御部は、デシカントロータを通過した外気を加湿する外気加湿部を備えることを特徴とする請求項１または２に記載の低温再生デシカント空調機。
【請求項４】
潜熱制御部の下流において還気経路と外気経路を連通する還気の戻り経路を有することを特徴とする請求項１から３の何れか１項に記載の低温再生デシカント空調機。
【請求項５】
室内へ給気する外気の潜熱を潜熱制御部で制御し、潜熱制御部を通過した外気の顕熱を顕熱制御部で制御し、顕熱制御部を通過した外気を室内へ給気し、室内からの還気を潜熱制御部を通して排気し、全熱交換器によって潜熱制御部へ通気する外気と潜熱制御部を通過した還気との間で顕熱および潜熱を交換し、エンタルピー測定手段により外気のエンタルピーを測定し、外気のエンタルピーを制御指標として第１の経路切替装置を操作することで、全熱交換器の上流側の外気経路と下流側の外気経路とに連通して全熱交換器を迂回する全熱交換器バイパス経路と全熱交換器を通る外気経路とを切替えるとともに、還気湿度を制御指標として第２の経路切替装置を操作することで、デシカントロータの上流側の外気経路と下流側の外気経路とに連通してデシカントロータを迂回するデシカントロータバイパス経路と、デシカントロータを通る外気経路とを切替えることを特徴とする低温再生デシカント空調機の運転方法。
【請求項６】
冷房時に外気のエンタルピーが設定したエンタルピーより高く、かつ還気湿度が設定した湿度より高い場合は、第１の経路切替装置を操作して全熱交換器を通る外気経路を選択するとともに、第２の経路切替装置を操作してデシカントロータを通る外気経路を選択することを特徴とする請求項５に記載の低温再生デシカント空調機の運転方法。
【請求項７】
冷房時に外気のエンタルピーが設定したエンタルピーより低く、かつ還気湿度が設定した湿度より高い場合は、第１の経路切替装置を操作して全熱交換器バイパス経路を選択するとともに、第２の経路切替装置を操作してデシカントロータを通る外気経路を選択することを特徴とする請求項５に記載の低温再生デシカント空調機の運転方法。
【請求項８】
暖房時は第１の経路切替装置を操作して全熱交換器を通る外気経路を選択するとともに、第２の経路切替装置を操作してデシカントロータを通る外気経路を選択することを特徴とする請求項５に記載の低温再生デシカント空調機の運転方法。
【発明の詳細な説明】
【技術分野】
【０００１】
本発明は、低温再生デシカント空調機に関し、デシカントロータの効率的な使用に係るものである。
【背景技術】
【０００２】
この種の技術としては、例えば特許文献１に記載するものがある。この低温再生デシカント空調機は、外気を室内へ給気する外気経路と、室内からの還気を排気する還気経路と、外気経路の外気の潜熱を制御する潜熱制御部と、外気経路の外気の顕熱を制御する顕熱制御部と、外気と還気との間で顕熱および潜熱を交換する全熱交換器部を備えている。
【０００３】
全熱交換器部は、潜熱制御部へ通気する外気経路の外気と潜熱制御部を通過した還気経路の還気との間で顕熱および潜熱を交換する全熱交換器と、全熱交換器の上流側および下流側で外気経路に連通して全熱交換器を迂回する全熱交換器バイパス経路と、全熱交換器を通る外気経路と全熱交換器バイパス経路とを切替える第１の経路切替装置を有している。潜熱制御部は、外気経路の外気から湿気を収着して還気経路側で還気により湿気を脱着させて再生するデシカントロータと、デシカントロータの上流側および下流側で外気経路に連通してデシカントロータを迂回するデシカントロータバイパス経路と、デシカントロータを通る外気経路とデシカントロータバイパス経路とを切替える第２の経路切替装置を有している。
【０００４】
また、特許文献２に記載するものは、系内へ流入する外気の潜熱を制御する潜熱制御部と外気の顕熱を制御する顕熱制御部を有し、潜熱制御部および顕熱制御部を通して外気を室内へ給気し、室内からの還気を潜熱制御部を通して排気するものである。
【０００５】
潜熱制御部は、外気経路側で外気から湿気を収着して還気経路側で還気により湿気を脱着させて再生するデシカントロータと、冷房時にデシカントロータへ通気する外気を冷却し、暖房時にデシカントロータへ通気する外気を加熱する冷温水コイルと、潜熱制御部を制御する指標としての還気の湿度を検知する還気湿度センサを備えている。
【先行技術文献】
【特許文献】
【０００６】
【特許文献１】特許第５５４２７０１号
【特許文献２】特許第５６６９５８７号
【発明の概要】
【発明が解決しようとする課題】
【０００７】
特許文献１のものは、冷房モードにおいて外気のエンタルピーが設定値より高い場合は、デシカントロータを停止させてデシカントロータによる顕熱移動のロスを避け、全熱交換器により外気の熱負荷を低減して省エネルギー化を実現している。また、冷房モードにおいて外気のエンタルピーが設定値より低い場合は、デシカントロータで除湿することで、冷却機器の能力を最小とし、加熱機器による再熱のエネルギーを小さくすることを実現している。また、特許文献２の構成においては、還気湿度センサにより還気の湿度を検知して潜熱制御部を制御するので、室内の温湿度制御を実現している。
【０００８】
しかし、上記のものは、制御指標として外気のエンタルピーか、還気の湿度の何れか一方を採用しており、省エネルギー化と室内の温湿度制御の精度の向上とを同時に実現するうえで課題があった。
【０００９】
本発明は上記した課題を解決するものであり、潜熱負荷と顕熱負荷を別途に制御することが可能であり、室内の温湿度制御の精度が高くてエネルギーの無駄がない低温再生デシカント空調機を提供することを目的とする。
【課題を解決するための手段】
【００１０】
上記課題を解決するために、本発明の低温再生デシカント空調機は、外気を室内へ給気する外気経路と、室内からの還気を排気する還気経路と、外気経路の外気の潜熱を制御する潜熱制御部と、外気経路の外気の顕熱を制御する顕熱制御部と、外気と還気との間で顕熱および潜熱を交換する全熱交換器部を備え、全熱交換器部は、潜熱制御部へ通気する外気経路の外気と潜熱制御部を通過した還気経路の還気との間で顕熱および潜熱を交換する全熱交換器と、全熱交換器の上流側および下流側で外気経路に連通して全熱交換器を迂回する全熱交換器バイパス経路と、全熱交換器を通る外気経路と全熱交換器バイパス経路を切替える第１の経路切替装置を有し、潜熱制御部は、外気経路の外気から湿気を収着して還気経路側で還気により湿気を脱着させて再生するデシカントロータと、冷房時にデシカントロータへ通気する外気を冷却し、暖房時デシカントロータへ通気する外気を加熱する冷温水コイルと、デシカントロータの上流側および下流側で外気経路に連通してデシカントロータを迂回するデシカントロータバイパス経路と、デシカントロータを通る外気経路とデシカントロータバイパス経路とを切替える第２の経路切替装置を有し、第１の経路切替装置の制御指標として外気のエンタルピーを測定するエンタルピー測定手段を備え、第１の経路切替装置は、外気のエンタルピーに基づいて全熱交換器を通る外気経路と全熱交換器バイパス経路を切替え、第２の経路切替装置の制御指標として還気の湿度を検知する還気湿度センサーを備え、第２の経路切替装置は、還気の湿度に基づいてデシカントロータを通る外気経路とデシカントロータバイパス経路とを切替えることを特徴とする。
【００１１】
本発明の低温再生デシカント空調機において、潜熱制御部は、デシカントロータへ通気する還気を加熱する還気予熱部を備えることを特徴とする。
本発明の低温再生デシカント空調機において、潜熱制御部は、デシカントロータを通過した外気を加湿する外気加湿部を備えることを特徴とする。
本発明の低温再生デシカント空調機において、潜熱制御部の下流において還気経路と外気経路を連通する還気の戻り経路を有することを特徴とする。
【００１２】
本発明の低温再生デシカント空調機の運転方法は、室内へ給気する外気の潜熱を潜熱制御部で制御し、潜熱制御部を通過した外気の顕熱を顕熱制御部で制御し、顕熱制御部を通過した外気を室内へ給気し、室内からの還気を潜熱制御部を通して排気し、全熱交換器によって潜熱制御部へ通気する外気と潜熱制御部を通過した還気との間で顕熱および潜熱を交換し、エンタルピー測定手段により外気のエンタルピーを測定し、外気のエンタルピーを制御指標として第１の経路切替装置を操作することで、全熱交換器の上流側の外気経路と下流側の外気経路とに連通して全熱交換器を迂回する全熱交換器バイパス経路と全熱交換器を通る外気経路とを切替えるとともに、還気湿度を制御指標として第２の経路切替装置を操作することで、デシカントロータの上流側の外気経路と下流側の外気経路とに連通してデシカントロータを迂回するデシカントロータバイパス経路と、デシカントロータを通る外気経路とを切替えることを特徴とする。
【００１３】
本発明の低温再生デシカント空調機の運転方法において、冷房時に外気のエンタルピーが設定したエンタルピーより高く、かつ還気湿度が設定した湿度より高い場合は、第１の経路切替装置を操作して全熱交換器を通る外気経路を選択するとともに、第２の経路切替装置を操作してデシカントロータを通る外気経路を選択することを特徴とする。
【００１４】
本発明の低温再生デシカント空調機の運転方法において、冷房時に外気のエンタルピーが設定したエンタルピーより低く、かつ還気湿度が設定した湿度より高い場合は、第１の経路切替装置を操作して全熱交換器バイパス経路を選択するとともに、第２の経路切替装置を操作してデシカントロータを通る外気経路を選択することを特徴とする。
【００１５】
本発明の低温再生デシカント空調機の運転方法において、暖房時は第１の経路切替装置を操作して全熱交換器を通る外気経路を選択するとともに、第２の経路切替装置を操作してデシカントロータを通る外気経路を選択することを特徴とする。
【発明の効果】
【００１６】
以上のように本発明によれば、室内に取り入れる外気の湿度を制御することにより室内の潜熱負荷を調整することと、温度制御による顕熱負荷を調整することとを別々に処理するので、室内の温湿度制御の精度が高くなる。また、デシカントロータは還気により湿気を脱着させて再生するので、再生のための加熱源を基本的には必要とせず、エネルギーの無駄がなくなる。
【００１７】
外気のエンタルピーを制御指標として第１の経路切替装置を操作して、全熱交換器を迂回する全熱交換器バイパス経路と全熱交換器を通る外気経路とを切替えるとともに、還気湿度を制御指標として第２の経路切替装置を操作して、デシカントロータを迂回するデシカントロータバイパス経路と、デシカントロータを通る外気経路とを切替えることで、全熱交換器とデシカントロータを使い分けて冷却機器や加熱機器の能力を無駄なく使用する運転が実現できる。
【００１８】
冷房時に外気のエンタルピーが設定したエンタルピーより低く、かつ還気湿度が設定した湿度より高い場合は、第１の経路切替装置を操作して全熱交換器バイパス経路を選択するとともに、第２の経路切替装置を操作してデシカントロータを通る外気経路を選択する。この操作により、デシカントロータで除湿して冷却機器の能力を最小とし、加熱機器による再熱のエネルギーを小さくすることができる。
【図面の簡単な説明】
【００１９】
【図１】本発明の実施の形態における空気調和機の構成を示し、冷房時の外気のエンタルピーが設定値より高く、還気湿度が設定値より高いピーク時の運転状態を示す模式図
【図２】同実施の形態における冷房時の外気のエンタルピーが設定値より低く、還気湿度が設定値より高い中間期の運転状態を示す模式図
【図３】同実施の形態における冬期の運転状態を示す模式図
【図４】同実施の形態における冷房のピーク時の空気線図
【図５】同実施の形態における中間期の空気線図
【図６】同実施の形態における冬期の暖房時の空気線図
【発明を実施するための形態】
【００２０】
以下、本発明の実施の形態を図面に基づいて説明する。
（実施の形態１）
図１、図２、図３において、低温再生デシカント空調機は、ケーシング１に外気口２、給気口３、還気口４、排気口５を有しており、ここでは外気口２から給気口３までの通気路を外気経路６とし、還気口４から排気口５までの通気路を還気経路７として説明する。
【００２１】
外気経路６には上流側から下流側へ順次に、プレフィルタ８、全熱交換器２００、外気ファン９、潜熱制御部１０、プレフィルタ１１、中性能フィルタ１２１、顕熱制御部１２、給気ファン１３を介装している。給気口３には給気ダクト１４が接続している。
【００２２】
還気経路７には上流側から下流側へ順次に、プレフィルタ１６、潜熱制御部１０、全熱交換器２００、排気ファン１７を介装しており、還気口４に接続した還気ダクト１８には還気温度センサ１９および還気湿度センサ２０を介装している。潜熱制御部１０の外気経路６における下流側には、還気経路７と外気経路６とを連通する還気の戻り経路２１と、還気の戻り経路２１に設けた還気ダンパ２２を有している。
【００２３】
全熱交換器２００は外気経路６のプレフィルタ８を通過した外気と、還気経路７の潜熱制御部１０を通過した還気との間で熱と水分を交換するものであり、全熱交換器２００としては回転型、静止型があるが、何れの形態であってもよい。
【００２４】
外気経路６には全熱交換器バイパス経路２０１が設けてあり、全熱交換器バイパス経路２０１は全熱交換器２００の上流側および下流側で外気経路６に連通して全熱交換器２００を迂回する経路をなす。
【００２５】
全熱交換器２００を通る外気経路６と全熱交換器バイパス経路２０１とを切替える第１の経路切替装置として、第１および第２の全熱交換器通気制御用ダンパ２０２、２０３を設けている。
【００２６】
第１の全熱交換器通気制御用ダンパ２０２は全熱交換器バイパス経路２０１に介装してあり、第２の全熱交換器通気制御用ダンパ２０３は全熱交換器２００の上流側で、かつ全熱交換器バイパス経路２０１の分岐点より下流側の外気経路６に介装している。
【００２７】
潜熱制御部１０は、外気経路６に上流側から下流側へ順次に冷温水コイル１０１、デシカントロータ１０２、気化式加湿器１０３を介装し、還気経路７に上流側から下流側へ順次に温水コイル１０４、デシカントロータ１０２を介装している。
【００２８】
デシカントロータ１０２は、冷房モードでは外気経路６に対応する処理側で外気から湿気を収着し、還気経路７に対応する再生側で還気により湿気を脱着させて再生するものであり、暖房モードでは還気経路７に対応する処理側で還気から湿気を収着し、外気経路６に対応する再生側で外気により湿気を脱着させて再生するものである。
【００２９】
デシカントロータの収着材としては、ゼオライト、塩化リチウム、シリカゲルなどの乾燥剤や高分子収着材を用いるのがよく、本実施の形態では、低温再生での吸湿性が高い高分子収着材からなる。
【００３０】
冷房モードでは、冷温水コイル１０１がデシカントロータ１０２へ通気する外気を冷却する外気予冷部として作用し、温水コイル１０４がデシカントロータ１０２へ通気する還気を加熱する還気予熱部として作用する。
【００３１】
暖房モードでは、冷温水コイル１０１がデシカントロータ１０２へ通気する外気を加熱する外気予熱部として作用し、気化式加湿器１０３がデシカントロータ１０２を通過した外気を加湿する外気加湿部として作用する。
【００３２】
外気経路６にはデシカントロータバイパス経路１５０が設けてあり、デシカントロータバイパス経路１５０は冷温水コイル１０１より下流側で、かつデシカントロータ１０２の上流側で外気経路６に連通するとともに、デシカントロータ１０２の下流側で外気経路６に連通してデシカントロータ１０２を迂回する経路をなす。
【００３３】
デシカントロータ１０２を通る外気経路６とデシカントロータバイパス経路１５０とを切替える第２の経路切替装置として、第１および第２のデシカントロータ通気制御用ダンパ１５１、１５２を設けている。
【００３４】
第１のデシカントロータ通気制御用ダンパ１５１はデシカントロータバイパス経路１５０に介装してあり、第２のデシカントロータ通気制御用ダンパ１５２はデシカントロータ１０２の上流側で、かつデシカントロータバイパス経路１５０の分岐点より下流側の外気経路６に介装している。
【００３５】
顕熱制御部１２は、外気経路６に上流側から下流側へ順次に冷水コイル１２２、温水コイル１２３を介装している。
還気温度センサ１９は顕熱制御部１０を制御する指標としての還気の温度を検知し、還気の温度に基づいて冷水コイル１２２、温水コイル１２３の各バルブ１２４、１２５を開閉制御もしくは開度制御する。
【００３６】
還気湿度センサ２０は潜熱制御部１２を制御する指標としての還気の湿度を検知し、還気の湿度に基づいて第２の経路切替装置の第１および第２のデシカントロータ通気制御用ダンパ１５１、１５２を開閉制御し、デシカントロータ１０２の運転の起動、停止もしくは回転数を制御し、冷温水コイル１０１、気化式加湿器１０３、温水コイル１０４の各バルブ１０７、１０８、１０９を開閉制御もしくは開度制御する。
【００３７】
第１の経路切替装置の制御指標として外気のエンタルピーを測定するエンタルピー測定手段は、本実施の形態では外気の温度を測定する外気温度センサ３０１と外気の湿度を測定する外気湿度センサ３０２からなる。
【００３８】
外気温度センサ３０１と外気湿度センサ３０２はそれぞれ、第１の全熱交換器通気制御用ダンパ２０２、第２の全熱交換器通気制御用ダンパ２０３に接続している。
第１の全熱交換器通気制御用ダンパ２０２、第２の全熱交換器通気制御用ダンパ２０３の制御部は、外気温度センサ３０１と外気湿度センサ３０２の測定値を受けて外気のエンタルピーを算出するとともに、予め設定したエンタルピーと比較して開閉動作を制御する。
【００３９】
上述した本実施の形態においては、プレフィルタ８、１１と中性能フィルタ１２１および外気ファン９は必ずしも必要ではなく、必要に応じて設置するものであり、温水コイル１０４は冷房モードの基本的な運転においては不要であるが、冷温水コイル１０１の予冷による除湿能力が不足する時にデシカントロータ１０２へ通気する還気を加熱する還気予熱部として作用し、デシカントロータ１０２を加熱再生して除湿能力を確保するバックアップ機能を果すものである。
【００４０】
以下、上記した構成における作用を説明する。本実施の形態の低温再生デシカント空調機の基本的な作用は以下のものである。すなわち、還気の戻り経路２１を通して還気が合流する還気混合前に、外気経路６を流れる外気の潜熱（湿度）を潜熱制御部１０で制御し、還気混合後に還気を含む外気の顕熱（温度）を顕熱制御部１２で制御して室内へ給気し、室内からの還気を潜熱制御部１０を通して排気する。
つまり、潜熱制御部１０において室内に取り入れる外気の湿度制御を行うことで室内の潜熱負荷を処理し、顕熱制御部１２において外気と還気の混合空気の温度制御を行うことで室内の顕熱負荷を処理する。このように、室内の潜熱負荷と顕熱負荷を別々に処理することで室内の温湿度制御の精度が高くなり、エネルギーの無駄がなくなる。
【００４１】
（冷房ピーク時）
図１および図４において、冷房モードの外気のエンタルピーが設定値のエンタルピーより高く、還気の湿度が高い場合の冷房のピーク時の運転について説明する。
【００４２】
第１の全熱交換器通気制御用ダンパ２０２、第２の全熱交換器通気制御用ダンパ２０３の制御部は、外気温度センサ３０１と外気湿度センサ３０２の測定値を受けて外気のエンタルピーを算出する。
【００４３】
制御部は、算出した外気のエンタルピーと予め設定した設定値のエンタルピーとを比較してダンパの開閉動作を制御する。
外気ＯＡのエンタルピーが設定値のエンタルピーより高い場合には、第１の全熱交換器通気制御用ダンパ２０２を閉操作し、第２の全熱交換器通気制御用ダンパ２０３を開操作する。
【００４４】
第１のデシカントロータ通気制御用ダンパ１５１、第２のデシカントロータ通気制御用ダンパ１５２の制御部は、還気湿度センサ２０の測定値と予め設定した還気湿度とを比較してダンパの開閉動作を制御する。
【００４５】
還気ＲＡの湿度が設定値の湿度より高い場合には、第１のデシカントロータ通気制御用ダンパ１５１を閉操作し、第２のデシカントロータ通気制御用ダンパ１５２を開操作する。
【００４６】
この冷房のピーク時においては、外気ＯＡを全熱交換器２００および冷温水コイル１０１で冷却し、潜熱制御部１０を通過した外気ＯＡに還気ＲＡの戻り経路２１を通して還気ＲＡを混合し、還気混合後の外気ＯＡを顕熱制御部１２へ通気させて冷水コイル１２２により冷却し、顕熱（温度）を制御して顕熱負荷を処理し、顕熱制御部１２を通過した給気ＳＡを室内へ送気することで、全熱交換器２００により外気の熱負荷を低減して省エネルギー化を実現でき、デシカントロータ１０２で除湿することで、冷温水コイル１０１の能力を最小にした運転が実現できる。
【００４７】
すなわち、外気ＯＡを全熱交換器２００で冷却して減温、減湿した後に、冷温水コイル１０１により冷却し、その乾球温度および絶対湿度を低減させる。予冷した外気ＯＡはデシカントロータ１０２の外気経路側を通過し、外気ＯＡの湿気をデシカントロータ１０２が収着して除湿し、その絶対湿度を低減させて潜熱（湿度）を制御する。デシカントロータ１０２は還気経路側で還気ＲＡにより湿気を脱着させて再生する。このため、還気ＲＡのエネルギーをデシカントロータ１０２の再生エネルギーとして有効に利用でき、デシカントロータ１０２を別途の熱源による加熱を要することなく再生でき、省エネが図られる。
【００４８】
潜熱制御部１０および顕熱制御部１２は還気湿度センサ２０で検知する還気ＲＡの湿度および還気温度センサ１９で検知する還気ＲＡの温度を指標として制御する。
すなわち、還気湿度センサ２０は潜熱制御部１０を制御する指標としての還気ＲＡの湿度を検知し、還気ＲＡの湿度に基づいて冷温水コイル１０１のバルブ１０７を開閉制御もしくは開度制御して冷水の流量を制御して除湿量を制御し、室内へ供給する空気の絶対湿度を制御する。
【００４９】
還気温度センサ１９は顕熱制御部１２を制御する指標としての還気ＲＡの温度を検知し、還気ＲＡの温度に基づいて冷水コイル１２２のバルブ１２４を開閉制御もしく開度制御して冷水の流量を制御し、室内へ供給する空気の温度を制御する。
このように、全熱交換器２００と冷温水コイル１０１とデシカントロータ１０２を併用することで、冷温水コイル１０１の消費エネルギーを低減しつつ、乾球温度および絶対湿度を低減させた外気ＯＡをデシカントロータ１０２に通気させることができる。
【００５０】
（中間期）
図２および図５において、冷房モードの外気ＯＡのエンタルピーが設定値のエンタルピーより低く、還気ＲＡの湿度が高い場合について説明する。
【００５１】
外気ＯＡのエンタルピーが設定値のエンタルピーより低い場合には、第１の全熱交換器通気制御用ダンパ２０２を開操作し、第２の全熱交換器通気制御用ダンパ２０３を閉操作する。
【００５２】
還気ＲＡの湿度が設定値の湿度より高い場合には、第１のデシカントロータ通気制御用ダンパ１５１を閉操作し、第２のデシカントロータ通気制御用ダンパ１５２を開操作する。
【００５３】
この中間期の冷房モードにおいては、デシカントロータ１０２で除湿することで、冷温水コイル１０１の能力を最小にした運転が実現できる。
すなわち、デシカントロータ１０２へ通気する外気ＯＡを冷温水コイル１０１により冷却し、その乾球温度および絶対湿度を低減させる。予冷した外気ＯＡはデシカントロータ１０２の外気経路側を通過し、外気ＯＡの湿気をデシカントロータ１０２が収着して除湿し、その絶対湿度を低減させて潜熱（湿度）を制御する。デシカントロータ１０２は還気経路側で還気ＲＡにより湿気を脱着させて再生する。このため、還気ＲＡのエネルギーをデシカントロータ１０２の再生エネルギーとして有効に利用でき、デシカントロータ１０２を別途の熱源による加熱を要することなく再生でき、省エネが図られる。
【００５４】
そして、潜熱制御部１０を通過した外気ＯＡに還気の戻り経路２１を通して還気ＲＡを混合し、還気混合後の外気ＯＡを顕熱制御部１２へ通気させて冷水コイル１２２により冷却し、顕熱（温度）を制御して顕熱負荷を処理し、顕熱制御部１２を通過した給気ＳＡを室内へ送気する。
【００５５】
潜熱制御部１０および顕熱制御部１２は還気湿度センサ２０で検知する還気ＲＡの湿度および還気温度センサ１９で検知する還気ＲＡの温度を指標として制御する。
すなわち、還気湿度センサ２０は潜熱制御部１０を制御する指標としての還気ＲＡの湿度を検知し、還気ＲＡの湿度に基づいて冷温水コイル１０１のバルブ１０７を開閉制御もしくは開度制御して冷水の流量を制御して除湿量を制御し、還気ＲＡの湿度に基づいてデシカントロータ１０２の運転の起動、停止もしくは回転数を制御し、室内へ供給する空気の絶対湿度を制御する。
【００５６】
還気温度センサ１９は顕熱制御部１２を制御する指標としての還気ＲＡの温度を検知し、還気ＲＡの温度に基づいて冷水コイル１２２のバルブ１２４を開閉制御もしくは開度制御して冷水の流量を制御し、室内へ供給する空気の温度を制御する。
【００５７】
そして、冷水コイル１２２と温水コイル１２３により除湿冷却と再熱制御を行う。還気湿度センサ２０で検出する還気ＲＡの相対湿度が設定値＋１０％の範囲内になったらデシカントロータ１０２および冷温水コイル１０１の運転を再開する。この運転制御により、デシカントロータ１０２におけるエネルギーロスを低減できる。
このように、デシカントロータ１０２と冷温水コイル１０１を使用することで、高温低湿の室内条件を過冷却なしで実現できる。
冷温水コイル１０１の予冷による除湿能力が不足する時には、還気ＲＡを温水コイル１０４で加熱してデシカントロータ１０２へ通気することでデシカントロータ１０２を加熱再生して除湿能力を確保する。
【００５８】
（暖房モード）
図３および図６において暖房モードの運転について説明する。暖房モードにおいては、第１の全熱交換器通気制御用ダンパ２０２を閉操作し、第２の全熱交換器通気制御用ダンパ２０３を開操作し、第１のデシカントロータ通気制御用ダンパ１５１を閉操作し、第２のデシカントロータ通気制御用ダンパ１５２を開操作する。
【００５９】
この暖房モードでは、冷温水コイル１０１でデシカントロータ１０２を再生することで、還気ＲＡより吸収した水分を給気側で加湿に使用することができる。
すなわち、デシカントロータ１０２へ通気する外気ＯＡを冷温水コイル１０１により加熱する。予熱した外気ＯＡはデシカントロータ１０２の外気経路側を通過し、外気ＯＡでデシカントロータ１０２から湿気を脱着させて再生し、外気ＯＡを加湿する。デシカントロータ１０２は還気経路側で還気ＲＡから湿気を収着する。このように、室内からの水分を外気ＯＡに移行させることで、加湿に必要な水の使用量を低減させることができる。
【００６０】
そして、潜熱制御部１０を通過した外気ＯＡに還気の戻り経路２１を通して還気ＲＡを混合し、還気混合後の外気ＯＡを顕熱制御部１２へ通気させて温水コイル１２３により加熱し、顕熱（温度）を制御して顕熱負荷を処理し、顕熱制御部１２を通過した給気ＳＡを室内へ送気する。
【００６１】
潜熱制御部１０および顕熱制御部１２は還気湿度センサ２０で検知する還気ＲＡの湿度および還気温度センサ１９で検知する還気ＲＡの温度を指標として制御する。
すなわち、還気湿度センサ２０は潜熱制御部１０を制御する指標としての還気ＲＡの湿度を検知し、還気ＲＡの湿度に基づいて冷温水コイル１０１のバルブ１０７を開閉制御もしく開度制御して温水の流量の制御により加熱を調整し、デシカントロータ１０２における加湿量を制御するとともに、還気ＲＡの湿度に基づいてデシカントロータ１０２の運転の起動、停止もしくは回転数を制御し、室内へ供給する空気の絶対湿度を制御する。加湿が不足する場合には、気化式加湿器１０３により外気ＯＡを加湿する。
【００６２】
還気温度センサ１９は顕熱制御部１２を制御する指標としての還気ＲＡの温度を検知し、還気ＲＡの温度に基づいて温水コイル１２３のバルブ１２５を開閉制御もしくは開度制御して温水の流量を制御し、室内へ供給する空気の温度を制御する。
【００６３】
上述した実施の形態では、室内負荷を処理するのに必要な風量を確保するために還気の戻り経路２１を設けて、外気ＯＡと還気ＲＡを混合するようにしていたが、外気風量だけで室内顕熱負荷を賄える場合や別途空調機を設けたりする場合は、還気の戻り経路２１を設けない構成であってもよい。
【００６４】
上述した実施の形態では、還気温度センサ１９、還気湿度センサ２０は、還気ダクト１８に設けられていたが、ケーシング１内の還気経路７や、被管理空間の室内に設けてもよい。
【符号の説明】
【００６５】
１    ケーシング
２    外気口
３    給気口
４    還気口
５    排気口
６    外気経路
７    還気経路
８    プレフィルタ
９    外気ファン
１０    潜熱制御部
１１    プレフィルタ
１２    顕熱制御部
１３    給気ファン
１４    給気ダクト
１６    プレフィルタ
１７    排気ファン
１８    還気ダクト
１９    還気温度センサ
２０    還気湿度センサ
２１    還気の戻り経路
２２    還気ダンパ
１０１    冷温水コイル
１０２    デシカントロータ
１０３    気化式加湿器
１０４    温水コイル
１０７、１０８、１０９、１２４、１２５  バルブ
１２１    中性能フィルタ
１２２    冷水コイル
１２３    温水コイル
１５０    デシカントロータバイパス経路
１５１    第１のデシカントロータ通気制御用ダンパ
１５２    第２のデシカントロータ通気制御用ダンパ
２００    全熱交換器
２０１    全熱交換器バイパス経路
２０２    第１の全熱交換器通気制御用ダンパ
２０３    第２の全熱交換器通気制御用ダンパ
３０１    外気温度センサ
３０２    外気湿度センサ
【図１】
0006532270.tif 000002
【図２】
0006532270.tif 000003
【図３】
0006532270.tif 000004
【図４】
0006532270.tif 000005
【図５】
0006532270.tif 000006
【図６】
0006532270.tif 000007